(57)【要約】      （修正有）【課題】完全密封構造で、開閉扉の不用意な開放を防止し、バネ材等の部材を用いることなく安定して開閉扉の開状態または閉状態を保持できる開閉扉付き電気コネクタを提供する。【解決手段】フランジ部２ｄが形成された箱形ケースにコネクタ端子３を収容した第１コネクタ１と、フランジ部２ｄの内側に配置された軸４と、軸４に回動自在に軸支された開閉扉５と、コネクタボディを有し、コネクタボディの少なくとも１つの側壁部に第１ガイドと第２ガイドを形成した第２コネクタ７と、を備え、第２コネクタ７の第１コネクタ１への挿入または引く抜き時、第１ガイド凹部および第２ガイド凹部に開閉扉５を位置させて挿入または引き抜きのガイドとすると共に、第１ガイド凹部および第２ガイド凹部を形成する隔壁部が開閉扉５を押圧して回動させることを特徴とする。【選択図】図１
2010218880.tif 000002
【特許請求の範囲】
【請求項１】
開口部を縮小するフランジ部が形成された箱形ケースにコネクタ端子を収容した第１コネクタと、
前記フランジ部の内側に配置された軸と、
前記軸に回動自在に軸支され、軸部に第１歯部と第２歯部を形成した開閉扉と、
前記第１コネクタのコネクタ端子と接続するコネクタ端子を配置したコネクタボディを有し、前記コネクタボディの少なくとも１つの側壁部に第１ガイド凹部と第２ガイド凹部を形成した第２コネクタと、
を備え、
前記第２コネクタの前記第１コネクタへの挿入または引く抜き時、前記第１ガイド凹部および第２ガイド凹部に前記第１歯部および前記第２歯部を位置させて挿入または引き抜きのガイドとすると共に、前記第１ガイド凹部および第２ガイド凹部を形成する隔壁部が前記第１歯部および前記第２歯部を押圧して前記開閉扉を開方向または閉方向に回動することを特徴とする電気コネクタ。
【請求項２】
前記箱形ケースに一端を固定された弾性変形可能なロック部材を少なくとも１つ配置し、前記ロック部材の端部に前記開閉扉の閉状態時、前記開閉扉をロックするロック溝を形成することを特徴とする請求項１に記載の電気コネクタ。
【請求項３】
前記ロック部材の先端部に突出部を形成し、前記コネクタボディに係合凹部を形成し、前記第１コネクタと前記第２コネクタの接続時、前記突出部が前記係合凹部に係合することを特徴とする請求項１または２に記載の電気コネクタ。
【請求項４】
前記フランジ部の内壁に前記第２歯部を係合する第１係合段部を形成することを特徴とする請求項１ないし３のいずれか１項に記載の電気コネクタ。
【請求項５】
前記フランジ部の内壁に、前記開閉扉の軸部の先端部を係合する第２係合段部を形成することを特徴とする請求項１ないし４のいずれか１項に記載の電気コネクタ。
【請求項６】
前記開閉扉を一対の開閉扉とし、前記一対の開閉扉の対向する端部を閉状態で互いに係合する櫛歯状とすることを特徴とする請求項１ないし５のいずれか１項に記載の電気コネクタ。
【請求項７】
前記第１コネクタの外形寸法を縦横１０ｍｍ以内とし、前記第２コネクタの外形寸法を７ｍｍ以内とすることを特徴とする請求項１ないし６のいずれか１項に記載の電気コネクタ。
【発明の詳細な説明】
【技術分野】
【０００１】
本発明は、パソコン、カメラ、医療機器および測定機器等に使用される微少サイズの電気コネクタに関し、特に、防塵のため箱形ケースに収容された受け入れ側コネクタに差し込み側コネクタを挿入して受け入れ側コネクタと差し込み側コネクタを接続する密封構造の開閉扉付き電気コネクタに関する。
【背景技術】
【０００２】
実開平５−６１９７５号公報には、受け入れ側コネクタを収容したハウジングの開口部にトーションバネにより閉方向に付勢された一対の開閉扉を軸支し、差し込み側コネクタを挿入することにより開閉扉を押し開き、差し込み側コネクタを引き抜くと、開閉扉の軸に配置したトーションバネのバネ力により開閉扉を閉じるようにした開閉扉付き電気コネクタが開示されている。
【０００３】
また、特開平１１−８００５号公報には、作業者がコネクタ内の端子に誤って触るのを防止する高電圧および強電流に適応可能な電気コネクタにおいて、受け入れ側コネクタを収容したケースの開口部に回動軸を配置し、回動軸に突条と開閉扉を回動自在に軸支し、受け入れ側コネクタを収容したケースに挿入して受け入れ側コネクタと接続する差し込み側コネクタに挿入ガイド部と係合突部を設け、差し込み側コネクタをケースに挿入する際、差し込み側コネクタに設けた係合突部と受け入れ側コネクタの開閉扉に設けた突条とを係合させて開閉扉を開方向に回動し、差し込み側コネクタをケースから引く抜く際、差し込み側コネクタに設けた係合突部と受け入れ側コネクタの開閉扉に設けた突条との係合で開閉扉を閉方向に回動し、開閉扉を開状態、閉状態に保持するため、開閉扉の端部に係合突起を設け、ケース内に係合突起と係合する閉および開用係合穴を設けた開閉扉付き電気コネクタが開示されている。
【先行技術文献】
【特許文献】
【０００４】
【特許文献１】実開平５−６１９７５号公報
【特許文献２】特開平１１−８００５号公報
【発明の概要】
【発明が解決しようとする課題】
【０００５】
しかしながら、特許文献１に開示された開閉扉付き電気コネクタは、受け入れ側コネクタを収容するハウジングが外部から完全に密封された構造でないため、塵等のハウジング内への浸入を完全に防ぐことは困難である。また、開閉扉を閉状態に付勢するためトーションバネ等のバネ手段が必要であるため、コネクタ組立時にトーションバネを捻りながらセットしなければならず、組立作業が繁雑になるという問題を有する。さらに、トーションバネ等のバネ材は、使用時間、使用回数が増加すると疲労劣化するという問題がある。
【０００６】
特許文献２に開示された開閉扉付き電気コネクタは、開閉扉にバネを用いていないため、バネの疲労劣化の問題と組立の困難性は解消されている。しかし、開閉扉に設けた突条がケースの外に露出した状態であるため、ケースを完全に密封する構造ではない。また、開閉扉を開状態、閉状態に保持するため、開閉扉の端部に係合突起を設け、ケース内に係合突起と係合する閉および開用係合穴を貫通して設ける必要があり、ケースを密封する構造にはなっていない。そもそも、特許文献２で開示された電気コネクタは、高電圧、強電流に適応可能な電気コネクタであって、作業者がコネクタ内の端子に誤って触るのを防止することを解決すべき課題としており、粉塵等の浸入を防止するような配慮されていない。しかも、密封構造でないためケースに収容されたコネクタピンが外気に露出する状態となり、コネクタピンの腐食と、腐食による接触不良に起因する発熱等の不具合の発生の恐れがある。
【０００７】
本発明は、前記従来技術のもつ課題を解決する、密封構造で、開閉扉の不用意な開放を防止し、バネ材等の部材を用いることなく安定して開閉扉の開状態または閉状態を保持できる開閉扉付き電気コネクタを提供することを目的とする。
【課題を解決するための手段】
【０００８】
本発明の電気コネクタは、前記課題を解決するために、開口部を縮小するフランジ部が形成された箱形ケースにコネクタ端子を収容した第１コネクタと、前記フランジ部の内側に配置された軸と、前記軸に回動自在に軸支され、軸部に第１歯部と第２歯部を形成した開閉扉と、前記第１コネクタのコネクタ端子と接続するコネクタ端子を配置したコネクタボディを有し、前記コネクタボディの少なくとも１つの側壁部に第１ガイド凹部と第２ガイド凹部を形成した第２コネクタと、を備え、前記第２コネクタの前記第１コネクタへの挿入または引く抜き時、前記第１ガイド凹部および第２ガイド凹部が前記第１歯部および前記第２歯部を位置させて挿入または引き抜きのガイドとすると共に、前記第１ガイド凹部および前記第２ガイド凹部を区画する隔壁部が前記第１歯部および前記第２歯部を押圧して前記開閉扉を開方向または閉方向に回動することを特徴とする。
【０００９】
また、本発明の電気コネクタは、前記箱形ケースに一端を固定された弾性変形可能なロック部材を少なくとも１つ配置し、前記ロック部材の端部に前記開閉扉の閉状態時、前記開閉扉をロックするロック溝を形成することを特徴とする。
【００１０】
また、本発明の電気コネクタは、前記ロック部材の先端部に突出部を形成し、前記コネクタボディに係合凹部を形成し、前記第１コネクタと前記第２コネクタの接続時、前記突出部が前記係合凹部に係合することを特徴とする。
【００１１】
また、本発明の電気コネクタは、前記フランジ部の内壁に前記第２歯部を係合する第１係合段部を形成することを特徴とする。
【００１２】
また、本発明の電気コネクタは、前記フランジ部の内壁に前記開閉扉の前記軸部の先端部を係合する第２係合段部を形成することを特徴とする。
【００１３】
また、本発明の電気コネクタは、前記開閉扉を一対の開閉扉とし、前記一対の開閉扉の対向する端部を閉状態で互いにに係合する櫛歯状とすることを特徴とする。
【００１４】
まや、本発明の電気コネクタは、前記第１コネクタの外形寸法を縦横１０ｍｍ以内とし、前記第２コネクタの外形寸法を７ｍｍ以内とすることを特徴とする。
【発明の効果】
【００１５】
開口部を縮小するフランジ部が形成された箱形ケースにコネクタ端子を収容した第１コネクタと、前記フランジ部の内側に配置された軸と、前記軸に回動自在に軸支され、軸部に第１歯部と第２歯部を形成した開閉扉と、前記第１コネクタのコネクタ端子と接続するコネクタ端子を配置したコネクタボディを有し、前記コネクタボディの少なくとも１つの側壁部に第１ガイド凹部と第２ガイド凹部を形成した第２コネクタと、を備え、前記第２コネクタの前記第１コネクタへの挿入または引く抜き時、前記第１ガイド凹部および前記第２ガイド凹部に前記第１歯部および前記第２歯部を位置させて挿入または引き抜きのガイドとすると共に、前記第１ガイド凹部および前記第２ガイド凹部を形成する隔壁部が前記第１歯部および前記第２歯部を押圧して前記開閉扉を開方向または閉方向に回動する構成により、バネ材を用いることなく開閉扉をケースの内側で開閉方向に回動するので、回動部がケースの外に露出することなく完全な密封構造とすることができ、塵等の浸入を防止できる。また、コネクタピンが露出していないため、腐食による接触不良と、これに起因する発熱を防止できる。
箱形ケースに一端を固定された弾性変形可能なロック部材を少なくとも１つ配置し、前記ロック部材の端部に前記開閉扉の閉状態時、前記開閉扉をロックするロック溝を形成した構成により、開閉蓋の閉状態をトーションバネ等を用いることなく安定して保持することができる。
ロック部材に係合凸部を形成し、前記コネクタボディの側面に係合凹部を形成し、前記第１コネクタと前記第２コネクタの接続時、前記係合凸部が前記係合凹部に係合する構成により、第１コネクタと前記第２コネクタの接続状態を安定して保持することができる。
フランジ部の内壁に前記第２歯部を係合する第１係合段部を形成する構成により、開閉扉の閉方向の回動のストッパとして機能することができる。
フランジ部の内壁に前記開閉扉の軸部の先端部を係合する第２係合段部を形成する構成により、開閉扉の開方向の回動のストッパとして機能することができる。
開閉扉を一対の開閉扉とし、前記一対の開閉扉の対向する端部を閉状態で互いにに係合する櫛歯状とする構成により、開閉扉の開閉に伴う回動軌跡寸法を短くすることができ、コネクタの寸法を短くすることができる。
第１コネクタの外形寸法を縦横１０ｍｍ以内とし、第２コネクタの外形寸法を７ｍｍ以内とする構成により、パソコン、カメラ、医療機器および測定機器等に使用される微少サイズの電気コネクタとして適した電気コネクタとすることができる。
【図面の簡単な説明】
【００１６】
【図１】（ａ）（ｂ）本発明の電気コネクタの第１実施形態を示す図である。
【図２】（ａ）（ｂ）ロック部材を示す図である。
【図３】（ａ）（ｂ）第２コネクタを示す図である。
【図４】（ａ）（ｂ）第２コネクタを第１コネクタに挿入する第１段階を示す図である。
【図５】（ａ）（ｂ）第２コネクタを第１コネクタに挿入する第２段階を示す図である。
【図６】（ａ）（ｂ）第２コネクタを第１コネクタに挿入する第３段階を示す図である。
【図７】（ａ）（ｂ）第２コネクタを第１コネクタに挿入する第４段階を示す図である。
【図８】（ａ）（ｂ）第２コネクタを第１コネクタに嵌合した状態の第５段階を示す図である。
【図９】（ａ）（ｂ）本発明の電気コネクタの第２実施形態を示す図である。
【図１０】（ａ）（ｂ）本発明の電気コネクタの第３実施形態を示す図である。
【発明を実施するための形態】
【００１７】
本発明の実施の形態を図により説明する。第１図（ａ）（ｂ）は、本発明の電気コネクタの第１実施形態を示す図である。
【００１８】
電気コネクタを構成する第１コネクタ１は、底壁部２ａと４つの側壁部２ｂ、２ｂ、２ｃ、２ｃからなら箱形ケース２を備えている。箱形ケースの先端開口部に開口部を縮小するように４つの側壁部２ｂ、２ｂ、２ｃ、２ｃから内側に直角に延びるフランジ部２ｄが形成される。箱形ケース２は絶縁性の合成樹脂等で形成する。第１コネクタ１の箱形ケース２の底壁部２ａに雄コネクタ端子３が配置される。この実施形態では、雄コネクタ端子３を配置しているが、雌コネクタ端子を箱形ケース２に配置しても良い。
【００１９】
箱形ケース２のフランジ部２ｄの内側に水平に延びる軸４がその両端を箱形ケース２の側壁部２ｃ、２ｃに固定して配置する。第１実施形態では開閉扉５が２枚であるので軸４が２本平行に配置される。軸４は、絶縁性の合成樹脂等で形成する。
【００２０】
２本の軸４にはそれぞれ開閉扉５が回動自在に軸支される、開閉扉５は、軸４に軸支される軸部５ａが一体に形成される。軸部５ａの先端部５ｆは、第１コネクタ１に装着される前の自由状態での外形寸法が第１コネクタ１の側壁部２ｂの内径寸法より若干大きく作られている。箱形ケース２のフランジ部２ｄの内壁には軸部５ａの回動をガイドする曲面部と、軸部５ａの先端部５ｆを係合する第２係合段部２ｆが形成される。したがって、先端部５ｆは、前記曲面部を押圧しながら回動し、軸部５ａの先端部５ｄが第２係合段部２ｆに係合されたとき、開閉扉５が第１コネクタ１の軸方向と平行になり、雌コネクタ端子が雄コネクタ端子に完全に接続したことを確認するようになっている。一方、軸部５ａには、第１歯部５ｂと第２歯部５ｃが軸部５ａ表面から外方向に突出して形成される。箱形ケース２のフランジ部２ｄの内壁には軸部５ａの回動をガイドする曲面部と、軸部５ａに形成した第２歯部５ｃを係合する第１係合段部２ｅが形成される。開閉扉５が閉状態時、開閉扉５の軸部５ａに形成された第２歯部５ｃが第1係合段部２ｅに係合され、開閉扉５の閉方向の回動を制限するストッパとして機能する。開閉蓋５は絶縁性の合成樹脂等で形成される。
【００２１】
２本の軸４にそれぞれ回動自在に軸支された一対の開閉扉５の相対する端部に櫛歯状端部５ｄが形成される。開閉扉５の閉状態時、１対の開閉扉５の櫛歯状端部５ｄが互いに噛合し密封状態に箱形ケース２の開口部を閉状態にする。１対の開閉扉５は相対する端部を櫛歯状端部５ｄとすることで、開閉扉５の開閉に伴う回動軌跡半径を小さくすることができ、開閉扉５の回動による雄コネクタ端子３との干渉を防止するスペースを少なくすることができるので電気コネクタのコンパクト化を実現できる。
【００２２】
図２（ａ）（ｂ）は、箱形ケース２内に配置されるロック部材６を示す図である。
【００２３】
ロック部材６は、一端部を箱形ケース２の底壁部２ａに固定され、箱形ケース２の開口部方向に側壁部２ｃに沿って延びる部材である。ロック部材６は、上下に夫々配置しても良いし、上下いずれかに１つ配置しても良い。ロック部材６は弾性変形可能な絶縁性の合成樹脂等で形成される。ロック部材６の先端部には第１コネクタ１の内方に突出した突出部６ｃ、端部近傍には、開閉扉５の閉状態時に一対の開閉扉５を閉状態にロックするロック溝６ａが形成される。また、ロック部材６のロック溝６ａの近傍にロック溝６ａを区画する凸部６ｂが形成される。
【００２４】
図３（ａ）（ｂ）は、箱形ケース２を有する第１コネクタ１に接続される第２コネクタ７を示す図である。
【００２５】
第２コネクタ７は、箱形ケース２の開口部から挿入して第１コネクタ１と接続するコネクタボディ７ａを備えている。コネクタボディ７ａには第１コネクタ１の雄コネクタ端子３と接続する雌コネクタ端子（図示せず）が収容される。コネクタボディ７ａの箱形ケース２への挿入部は４つの側壁部７ｂ、７ｂ、７ｃ、７ｃを備えた断面矩形の部材で構成される。コネクタボディ７ａの先端面には、第１コネクタ１に収容された雄端子３を挿入ガイドするガイド穴７ｊが形成される。コネクタボディ７ａの箱形ケース２への挿入部の断面の大きさを、箱形ケース２の開口部の大きさより若干小さくする。
【００２６】
第２コネクタ７の側壁部７ｂ、７ｂには、挿入方向の先端部から第１ガイド凹部７ｄと第２ガイド凹部７ｅが形成される。コネクタボディ７ａの挿入方向の先端と第１ガイド凹部７ｄを区画する部分を第１隔壁部７ｆとし、第１ガイド凹部７ｄと第２ガイド凹部７ｅを区画する部分を第２隔壁部７ｇとする。コネクタボディ７ａの第１ガイド凹部７ｄと第２ガイド凹部７ｅが形成されていない側壁部７ｃには係合凹部７ｈが形成される。第１コネクタ１にロック部材６を上下に配置した場合、係合凹部７ｈは、上下の側壁部７ｃ、７ｃに夫々形成する。コネクタボディ７ａは絶縁性の合成樹脂等で形成される。
【００２７】
図４（ａ）（ｂ）〜図８（ａ）（ｂ）は、第１実施形態の第１コネクタ１に第２コネクタ７を接続するための段階を示す図である。
【００２８】
図４（ａ）（ｂ）は、第１コネクタ１に第２コネクタ７を接続する前の段階を示す図である。図４（ｂ）に示されるように、開閉扉５はロック部材６のロック溝ａに係合し閉の状態にロックされている。
【００２９】
図５（ａ）（ｂ）は、第２コネクタ７が第１コネクタ１の箱形ケース２の開口部から挿入を開始した段階を示す図である。この段階で第２コネクタ７のコネクタボディ７ａの第１隔壁部７ｆの先端部が１対の開閉扉５を押圧し始める。図５（ｂ）に示されるように、第２コネクタの第１隔壁部７ｆの先端部の押圧により、ロック部材６の先端部に形成された突出部６ｃが押圧され、ロック部材６の先端部が第１コネクタ１の側壁部２ｃ方向に弾性変形し、その結果、１対の開閉扉５は、ロック部材６のロック溝６ａからの離脱を開始する。
【００３０】
図６（ａ）（ｂ）は、第２コネクタ７が第１コネクタ１の箱形ケース２内にさらに挿入された段階を示す図である。この段階では、１対の開閉扉５は完全にロック部材６のロック溝６ａから離脱する。第２コネクタ７の側壁部７ｃに形成した第１ガイド凹部７ｄに開閉扉５の軸部５ａに形成した第１歯部５ｂが位置している。
【００３１】
図７（ａ）（ｂ）は、第２コネクタ７の第２隔壁部７ｇの第１ガイド凹部７ｄ側の部分が第１歯部５ｂと係合した状態を示す図である。第２隔壁部７ｇの第１ガイド凹部７ｄ側の部分が第１歯部５ｂを押圧して開閉扉４を開方向に回動する。この段階で第２歯部５ｃは、第２ガイド凹部７ｅに位置する。
【００３２】
図８（ａ）（ｂ）は、第２コネクタ７の第１コネクタ１への嵌合が終了した段階を示す図である。この段階では、第１歯部５ｂと第２歯部５ｃは、第２ガイド凹部７ｅに位置する。第２コネクタ７のコネクタボディ７ａの側壁部７ｃに形成した係合凹部７ｈにロック部材６の先端部に形成した突出部６ｃが係合し、第１コネクタ１と第２コネクタ７の接続状態を保持する。
【００３３】
第２コネクタ７を第コネクタ１の箱形ケース２から引き抜く段階を説明する。図８（ａ）（ｂ）に示す第１コネクタ１と第２コネクタ７の接続状態から第２コネクタ７に引き抜き方向の力を加えると、第２コネクタ７のコネクタボディ７ａの側壁部７ｃに形成した係合凹部７ｈとロック部材６の先端部に形成した突出部６ｃの係合が解除されると同時に、軸部５ａの先端部５ｆが第２係合段部２ｆから離脱する。第２ガイド凹部７ｅに位置する第１歯部５ｂと第２歯部５ｃは、先ず第２歯部５ｃが第２隔壁部７ｇの第２ガイド凹部７ｅの部分と係合し、第２隔壁部７ｇの第２ガイド凹部７ｅの部分に押圧され閉方向に回動する。
【００３４】
閉方向の回動が進むと、第１歯部５ｂが第１ガイド凹部７ｄに位置し、第１隔壁部７ｆの第１ガイド凹部７ｄ側の部分と係合する。第１歯部５ｂが第１隔壁部７ｆの第１ガイド凹部７ｄ側の部分に押圧され開閉扉５を閉方向に回動する。第１歯部５ｂが第１ガイド凹部７ｄから離脱し、第２歯部５ｃがフランジ部２ｄに形成した第１係合段部２ｅに係合されると開閉扉５の閉方向の回動は阻止され、１対の開閉扉５の櫛歯状端部５ｄが互いに係合し箱形ケース２の開口部を密封して閉鎖する。この状態で、ロック部材６のロック溝６ａに１対の開閉扉５が係合し、１対の開閉扉５は閉状態にロックされる。また、前述のように、軸部５ａの先端部５ｆが、曲面部を押圧しながら回動するようにすれば、雄、雌コネクタ端子が相互に離脱した後でも、急激に引き抜き力が低下することなく、スムーズに雄、雌コネクタを引き抜くことができる。
【００３５】
図９は、（ａ）（ｂ）本発明の電気コネクタの第２実施形態を示す図である。
【００３６】
第２実施形態の電気コネクタは、第１コネクタ１の箱形ケース２の開口部に１対の開閉扉５を回動自在に配置する。２本の軸４にそれぞれ回動自在に軸支された一対の開閉扉５の相対する端部にはそれぞれ係合段部５ｅが形成され、１対の開閉扉５が閉の状態でそれぞれの係合段部５ｅが係合し密封機能を向上させる。他の構成は、第１実施形態の電気コネクタと同様であるので説明を省略する。
【００３７】
図１０は、（ａ）（ｂ）本発明の電気コネクタの第３実施形態を示す図である。
【００３８】
第３実施形態の電気コネクタは、第１コネクタ１の箱形ケース２の開口部に一つの開閉扉５を回動自在に配置する。開閉扉５が１つなので、第２コネクタ７のコネクタボディ７ａの側壁部７ｂに形成する第１ガイド凹部７ｄ、第２ガイド凹部７ｅ、第１隔壁部７ｆ、第２隔壁部７ｇは、開閉扉５の回動部側の１つの側壁部７ｂのみに形成する。他の構成は、第１実施形態の電気コネクタと同様であるので説明を省略する。
【００３９】
以上のように、本発明の電気コネクタによれば、完全密封構造で塵等の浸入を防止でき、開閉扉の不用意な開放を防止し、バネ材等の部材を用いることなく安定して開閉扉の開状態または閉状態を保持できる。
【符号の説明】
【００４０】
１：第１コネクタ、２：箱形ケース、２ａ：底壁部、２ｂ、２ｃ：側壁部、２ｄ：フランジ部、２ｅ：第１係合段部、２ｆ：第２係合段部、３：雄端子、４：軸、５：開閉扉、５ａ：軸部、５ｂ：第１歯部、５ｃ：第２歯部、５ｄ：櫛歯状端部、５ｅ：係合段部、５ｆ：軸部の先端部、６：ロック部材、６ａ：ロック溝、６ｂ：凸部、６ｃ：突出部、７：第２コネクタ、７ａ：コネクタボディ、７ｂ、７ｃ：側壁部、７ｄ：第１ガイド凹部、７ｅ：第２ガイド凹部、７ｆ：第１隔壁部、７ｇ：第２隔壁部、７ｈ：係合凹部、７ｊ：ガイド穴
【図１】
2010218880.tif 000003
【図２】
2010218880.tif 000004
【図３】
2010218880.tif 000005
【図４】
2010218880.tif 000006
【図５】
2010218880.tif 000007
【図６】
2010218880.tif 000008
【図７】
2010218880.tif 000009
【図８】
2010218880.tif 000010
【図９】
2010218880.tif 000011
【図１０】
2010218880.tif 000012